(57)【要約】【課題】発光装置において、外部に出射する光の強度分布の均一性を高める。【解決手段】透光性を有する保護カバー１０（カバー）と、保護カバー１０とは反対の向きに光Ｌを出射するＬＥＤパッケージ２２（発光体）と、ＬＥＤパッケージ２２に対して、保護カバー１０とは反対の側に配置され、ＬＥＤパッケージ２２から出射した光Ｌを、保護カバー１０に向けて反射する凹反射面８１を有するリフレクタ８０（反射部材）とを備え、凹反射面８１は、複数の小反射面８１ａの組み合わせにより形成され、小反射面８１ａのそれぞれは、一部がＬＥＤパッケージ２２の発光点２２ｃを焦点とする仮想の回転放物面Ｓに接するように形成され、複数の小反射面８１ａは、小反射面８１ａをＬＥＤパッケージ２２の光軸Ｃ（回転放物面の回転軸）に直交する面Ｋに投影して得られる投影小反射面８１Ａが互いに略同じ形状で等間隔Ｐに配置されるように形成されている。【選択図】図９
2014157486.tif 000002
【特許請求の範囲】
【請求項１】
外面が発光面となる透光性を有するカバーと、前記カバーの内面に設けられ前記外面とは反対の向きに光を出射する発光体と、前記発光体を挟んで、前記カバーとは反対の側に配置され、前記発光体から出射した光を、前記カバーに向けて反射する反射面を有する反射部材とを備え、
前記反射部材は、前記反射面が複数の小反射面の組み合わせにより形成されたものであり、
前記複数の小反射面のそれぞれは、少なくとも一部が前記発光体を焦点とする仮想の回転放物面に接するように形成され、
前記複数の小反射面は、前記小反射面を前記回転放物面の回転軸に直交する面に投影して得られる投影小反射面が互いに略同じ形状で等間隔に配置されるように形成されていることを特徴とする発光装置。
【請求項２】
隣接する複数の前記小反射面によって囲まれた領域が前記小反射面とは別の反射面として形成され、
前記別の小反射面も、少なくとも一部が前記発光体を焦点とする仮想の回転放物面に接するように形成され、
複数の前記別の小反射面も、この小反射面を前記回転放物面の回転軸に直交する面に投影して得られる別の投影小反射面が互いに略同じ形状で等間隔に配置されるように形成されていることを特徴とする請求項１に記載の発光装置。
【請求項３】
前記小反射面は、前記投影小反射面同士の間隔が、前記直交する面内の互いに異なる２以上の方向について等間隔となるように形成されていることを特徴とする請求項１または２に記載の発光装置。
【発明の詳細な説明】
【技術分野】
【０００１】
本発明は発光ダイオード（ＬＥＤ）などを用いた発光装置に関し、詳細には、発光体から出射された光を反射部材で反射させて発光体の背面方向（光の出射方向とは反対の方向）に出射する反射型の発光装置の改良に関する。
【背景技術】
【０００２】
発光装置として、発光体（ＬＥＤパッケージ）の発光面に対向させて反射部材（リフレクタ）を配置し、ＬＥＤパッケージから出射した光（出射光）をリフレクタで反射させ、その反射した光（反射光）をＬＥＤパッケージの背面側に配置されたカバーの外部に出射させる、いわゆる反射型のものが開発されている（特許文献１）。
【０００３】
また、光源の外部に設けられたランプカバーに、複数の小さな反射面（小反射面）を組み合わせた、いわゆるファセットリフレクタを形成して、外部へ出射させる光の輝度を向上させる技術が提案されている（特許文献２）。
【先行技術文献】
【特許文献】
【０００４】
【特許文献１】特開平１０−３３５７０６号公報
【特許文献２】登録実用新案第３１１２８５１号公報
【発明の概要】
【発明が解決しようとする課題】
【０００５】
しかし、特許文献２に記載された技術は、本来はすり鉢状の反射面を、光源を中心とした同心円と放射状の直線とによって仕切った配列で複数の小反射面が形成されているため、強度が等しい光は特定の同心円に沿って連なり、外部から見たとき、同心円状の光の環が目立つものとなる。
【０００６】
本発明は上記事情に鑑みなされたもので、外部から視認したときの光の強度分布の均一性を高めることができる発光装置を提供することを目的とする。
【課題を解決するための手段】
【０００７】
本発明に係る発光装置は、発光体から出射した光をカバーに向けて反射させる反射部材の反射面を、カバー側から見て同一形状で、かつ等間隔となる複数の小反射面の組み合わせで形成したことにより、光の強度分布の均一性を高めたものである。
【０００８】
すなわち、本発明に係る発光装置は、外面が発光面となる透光性を有するカバーと、前記カバーの内面に設けられ前記外面とは反対の向きに光を出射する発光体と、前記発光体を挟んで、前記カバーとは反対の側に配置され、前記発光体から出射した光を、前記カバーに向けて反射する反射面を有する反射部材とを備え、前記反射部材は、前記反射面が複数の小反射面の組み合わせにより形成されたものであり、前記複数の小反射面のそれぞれは、少なくとも一部が前記発光体を焦点とする仮想の回転放物面に接するように形成され、前記複数の小反射面は、前記小反射面を前記回転放物面の回転軸に直交する面に投影して得られる投影小反射面が互いに略同じ形状で等間隔に配置されるように形成されていることを特徴とする。
【発明の効果】
【０００９】
本発明に係る発光装置によれば、外部から視認したときの光の強度分布の均一性を高めることができる。
【図面の簡単な説明】
【００１０】
【図１】本発明の発光装置の一実施形態としてのＬＥＤ光源ユニットを備えた交通信号灯を示す模式図である。
【図２】図１に示したＬＥＤ光源ユニットの外観を示す斜視図である。
【図３】図２に示したＬＥＤ光源ユニットの分解斜視図である。
【図４】保護カバーの内面に形成された溝を示す図である。
【図５】電気回路を実装面側から見た平面図である。
【図６】電気回路を配線面側から見た平面図である。
【図７】電気回路の回路図である。
【図８】リフレクタのおもて面に形成された凹反射面および小反射面を示す斜視図である。
【図９】小反射面の詳細を示す断面図である。
【図１０】回転放物面の回転軸（ＬＥＤパッケージの光軸）に直交する面に投影した小反射面を示す模式図である。
【図１１】回転放物面の回転軸（ＬＥＤパッケージの光軸）に直交する面に投影した小反射面の他の形態を示す模式図（その１）である。
【図１２】回転放物面の回転軸（ＬＥＤパッケージの光軸）に直交する面に投影した小反射面の他の形態を示す模式図（その２）である。
【図１３】回転放物面の回転軸（ＬＥＤパッケージの光軸）に直交する面に投影した小反射面の他の形態を示す模式図（その３）である。
【図１４】断熱カバーを備えたＬＥＤ光源ユニットを示す、図２相当の分解斜視図である。
【発明を実施するための形態】
【００１１】
以下、本発明に係る発光装置の実施形態について、図面を参照して説明する。
【００１２】
本実施形態は、本発明に係る発光装置を図１に示した交通信号灯２００の各色（赤色、橙色、青緑色）にそれぞれ対応した灯火部であるＬＥＤ光源ユニット１００（発光装置の一例）に適用した例である。なお、交通信号灯の色は、赤、黄、青と表現することがある。
【００１３】
（構成）
図１に示した交通信号灯２００は、中空角柱状の本体ケース１５０に、３つのＬＥＤ光源ユニット１００，１００，１００が鉛直方向に並んで配置され、各ＬＥＤ光源ユニット１００の上縁に沿って庇１６０が設けられている。
【００１４】
本実施形態の交通信号灯２００は、図１に示したように、３つのＬＥＤ光源ユニット１００が縦に並んだものであるが、３つのＬＥＤ光源ユニット１００が横に並んだものであってもよい。
【００１５】
ただし、積雪地向けの交通信号灯２００としては、図示のように、ＬＥＤ光源ユニット１００が縦に並んだ縦型のものの方が、横に並んだ横型のものよりも、全体の着雪量が少なく、雪害対応の観点で有利である。
【００１６】
各ＬＥＤ光源ユニット１００は、図２，３に示すように、略円板皿状に形成された保護カバー１０（カバー）と、渦巻き状に形成された電気回路２０と、光を反射させるリフレクタ８０（反射部材）と、ゴムパッキン９０とを備えている。
【００１７】
保護カバー１０は、例えばポリカーボネートにより形成されていて、後述するＬＥＤパッケージ２２（発光体：図６等参照）から出射された光Ｌを透過させる透光性を有している。
【００１８】
この保護カバー１０は、厚さが略均一で、外面１０ａ（外方に向いた面）が発光面となる、緩やかな凸の曲面（例えば球面）で形成され、内面１０ｂ（内方に向いた面）は緩やかな凹の曲面（例えば球面）に形成されている。
【００１９】
外面１０ａが曲面で形成されていることにより、太陽光などの強い光が保護カバー１０に照射されたときであっても、外面１０ａで反射した光が、平面の場合のように外面１０ａの全面に亘って反射し、その反射した光の向きが特定の一方向に揃うのを防ぐことができる。
【００２０】
この結果、いずれの方向から交通信号灯２００を見ても、太陽光が映り込むことによる強い反射光の影響でＬＥＤ光源ユニット１００から発光した光Ｌの全てを視認できなくなるのを防止することができる。つまり、太陽光が映り込んでいない部分でＬＥＤ光源ユニット１００から発光した光Ｌを視認することができる。
【００２１】
保護カバー１０自体は略均一の厚さに形成されていて、光Ｌの透過時における屈折の影響を排除乃至低減している。
【００２２】
保護カバー１０の厚さが略均一である結果、内面１０ｂも緩やかな曲面となっている。なお、この内面１０ｂには、後述の電気回路２０の基板２１が接して設けられるため、基板２１が接する部分には、図４に示すように、底面１０ｆが平坦な面の、渦巻き状に延びた溝１０ｅが形成されている。
【００２３】
電気回路２０は、図５に示すように、渦巻き状に形成された基板２１の実装面２１ａに、３６個のＬＥＤパッケージ２２（発光体）と、ＬＥＤパッケージ２２を定電流で発光させるために駆動する駆動部品として３個のトランジスタ（ＭＯＳ−ＦＥＴ）２５とが接続されている。
【００２４】
ＬＥＤパッケージ２２は、それぞれセラミックや樹脂などで成形された金型の中にＬＥＤチップが実装され、シリコン樹脂等で封入されたものである。
【００２５】
３６個のＬＥＤパッケージ２２および３個のトランジスタ２５は、渦巻き状の基板２１が延びる方向に沿って一列に、略等間隔で分布して設けられている。
【００２６】
基板２１の、実装面２１ａの裏側の面には、図６示すように、実装されたトランジスタ２５に交流の商用電源で電力を供給する、銅箔等による電源配線２６ｂが形成されている。以下、この電源配線２６ｂが形成された面を配線面２１ｂという。
【００２７】
なお、実装面２１ａにも、ＬＥＤパッケージ２２同士やＬＥＤパッケージ２２と駆動回路とを接続する銅箔等によるＬＥＤ間信号線２６ｃが形成されている。
【００２８】
基板２１は、例えば、５０〜４００［μｍ］程度の厚さで形成され基材ＦＲ４（Flame Retardant Type 4）に銅箔で電源配線２６ｂおよびＬＥＤ間信号線２６ｃを形成し、透明なレジストを塗布したガラスエポキシ基板であり、基材の部分は光Ｌを含めて可視光線をある程度透過するが、電源配線２６ｂおよびＬＥＤ間信号線２６ｃの部分は光Ｌを透過しない。
【００２９】
ここで、基板２１の基材はガラスエポキシ基板に限定するものではなく、光学透過特性を有するものとして耐熱透明フィルム、例えば透明ポリイミドフィルムが望ましい。
【００３０】
電気回路２０は、その外径が保護カバー１０の内面１０ｂの直径よりもわずかに小さい程度に形成されていて、基板２１の配線面２１ｂが保護カバー１０の内面１０ｂに形成された溝１０ｅの底面１０ｆに接して設けられている。保護カバー１０に対する基板２１の接着は、例えば、熱伝導性の良い接着剤や両面テープ等が用いられている。
【００３１】
そして、電気回路２０が保護カバー１０の内面１０ｂ（溝１０ｅの底面１０ｆ）に接着された状態で、３６個のＬＥＤパッケージ２２は、保護カバー１０の内面１０ｂの全面に亘る領域内で、おおよそ均一に分布した配置となる。
【００３２】
基板２１の配線面２１ｂが保護カバー１０の内面１０ｂに接着されていることで、実装面２１ａの各ＬＥＤパッケージ２２から出射された光Ｌは、リフレクタ８０に向かう方向に進む。
【００３３】
基板２１に実装された３６個のＬＥＤパッケージ２２と３個のトランジスタ２５および駆動回路と電源配線２６ｂおよびＬＥＤ間信号線２６ｃとによって構成された電気回路は、図７に示すものとなっている。
【００３４】
基板２１に実装された３６個のＬＥＤパッケージ２２のうち、図５に示した基板２１の渦巻きの外周部分に配置されている１７個のＬＥＤパッケージ２２は、図７の回路図における１段目のＬＥＤブロック２２Ａに対応し、残りの１９個のＬＥＤパッケージ２２は、２段目のＬＥＤブロック２２Ｂに対応している。
【００３５】
リフレクタ８０は、電気回路２０を挟んで、保護カバー１０とは反対の側に、電気回路２０の実装面２１ａに対向して配置されている。
【００３６】
リフレクタ８０の、実装面２１ａに対向したおもて面８０ａには、図８に示すように、３６個の凹反射面８１（反射面）が形成されている。これら３６個の凹反射面８１は、保護カバー１０に接着された電気回路２０の３６個のＬＥＤパッケージ２２の位置にそれぞれ対応した位置に形成されている。
【００３７】
各凹反射面８１は、それぞれ対応するＬＥＤパッケージ２２から発光した光Ｌを、保護カバー１０に向けて反射させる鏡面となっている。
【００３８】
これらの凹反射面８１のそれぞれは、複数の小さな反射面８１ａ（以下、小反射面８１ａという。）の組み合わせにより形成されたものであり、各凹反射面８１を形成するこれら小反射面８１ａのそれぞれは、図９に示すように、少なくとも一部がＬＥＤパッケージ２２の発光点２２ｃを焦点とする仮想の回転放物面Ｓ（回転放物面Ｓを、ＬＥＤパッケージ２２の光軸Ｃを含む平面で切断したときの放物線Ｍを、二点鎖線で示す。）に接するように形成されている。
【００３９】
つまり、各小反射面８１ａは、回転放物面Ｓと共通する接線を有するように形成されている。なお、回転放物面Ｓは、放物線Ｍを光軸Ｃ回りに回転して形成された曲面である。
【００４０】
また、各凹反射面８１を形成する複数の小反射面８１ａは、この小反射面８１ａを回転放物面Ｓの回転軸である光軸Ｃに直交する面Ｋに投影して得られた投影小反射面８１Ａが、図１０に示すように互いに略同一の正六角形状で、かつ投影小反射面８１Ａ同士の間隔Ｐが等間隔となるように形成されている。
【００４１】
図示の例では、投影小反射面８１Ａの正六角形の全ての辺が、隣り合う他の投影小反射面８１Ａの正六角形の辺を共用するように、投影小反射面８１Ａ同士が接して配置されている。
【００４２】
なお、面Ｋに投影して得られた投影小反射面８１Ａの形状が互いに同一であるため、回転放物面Ｓに沿って並ぶ小反射面８１ａの形状は、光軸Ｃから離れるにしたがって長い形状となっている。
【００４３】
ここで、小反射面８１ａは、全てが異なる形状となっていなくてもよく、一部が同一の形状となっていてもよい。
【００４４】
リフレクタ８０の周縁の枠部８２には、図３に示すように、電気回路２０に外部の制御機器から商用電源等の電力を供給するための電力線が接続されるコネクタ８８が形成されている。
【００４５】
コネクタ８８と電気回路２０の電極２６ａ，２６ａとは、図示を省略した電線によって接続されていて、その電線は、リフレクタ８０を貫いて配線されている。
【００４６】
ゴムパッキン９０は、保護カバー１０およびリフレクタ８０の周縁に密着して、これら保護カバー１０およびリフレクタ８０を、図２に示すように一体化して保持し、保護カバー１０とリフレクタ８０とで仕切られた内部の空間に雨や雪などが浸入するのを阻止している。
【００４７】
（作用、効果）
以上のように構成された本実施形態のＬＥＤ光源ユニット１００によれば、コネクタ８８を通じて供給された電力により、電気回路２０の各トランジスタ２５が駆動され、各トランジスタ２５の駆動によって、各ＬＥＤパッケージ２２の発光点２２ｃから、図９に示すように、リフレクタ８０に向けて光Ｌが出射される。
【００４８】
発光点２２ｃから出射された光Ｌは、光軸Ｃを中心に拡がってリフレクタ８０の各小反射面８１ａに到達する。
【００４９】
各小反射面８１ａのそれぞれの一部は、発光点２２ｃを焦点とする仮想の回転放物面Ｓに接するように形成されているため、これら小反射面８１ａの組み合わせによって形成された凹反射面８１は、全体として、発光点２２ｃを焦点とする回転放物面Ｓに近似して構成されている。
【００５０】
したがって、凹反射面８１で反射された光Ｌは、光軸Ｃに概略平行な光Ｌとして保護カバー１０に向けて反射されるが、詳細には、各小反射面８１ａのうち回転放物面Ｓに接する部分で反射された光Ｌは、光軸Ｃに平行な光Ｌ１（以下、平行光Ｌ１という。）となり、回転放物面Ｓに接しない部分で反射した光Ｌは、光軸Ｃに対して所定の角度ずれた、平行光Ｌ１の周辺光Ｌ２となる。
【００５１】
各小反射面８１ａのそれぞれの部分で反射されて得られた平行光Ｌ１と周辺光Ｌ２とが、反射光Ｌとして保護カバー１０に向かって進み、その反射光Ｌは保護カバー１０を透過してＬＥＤ光源ユニット１００の外部の人（歩行者や自動車等の運転者など）などに視認される。
【００５２】
したがって、ＬＥＤ光源ユニット１００の外部の人は、反射光Ｌを各投影小反射面８１Ａとして視認することになるが、それら投影小反射面８１Ａは大きさや形状、投影小反射面８１Ａ間の間隔Ｐが揃っているため、そこから反射された光Ｌを見る者に対して、特定の大きさまたは形状の小反射面８１ａに注目を集めさせることがない。
【００５３】
しかも、投影小反射面８１Ａ間の間隔Ｐが等間隔であるため、反射光Ｌの強度分布も、急激に変化することがない。
【００５４】
よって、ＬＥＤ光源ユニット１００の外部の人によって視認される光Ｌの強度分布の均一性が高められるとともに、ＬＥＤ光源ユニット１００の正面からずれた角度方向からみたときの反射光Ｌの強度や光像の形状（見た目）が、正面（光軸Ｃに沿った方向）から見たときと比べて急激に変化するのを防ぐことができる。
【００５５】
本実施形態のＬＥＤ光源ユニット１００は、小反射面８１ａを、面Ｋへの投影した投影小反射面８１Ａの形状が正六角形のものとしたが、本発明に係る発光装置における小反射面は、この形態に限定されるものではなく、例えば、図１１に示すように、面Ｋへの投影した投影小反射面８１Ａが正三角形のものや、図示はしないが、投影小反射面８１Ａが正方形のものであってもよい。
【００５６】
また、各凹反射面８１に対応する複数の投影小反射面８１Ａは、全て単一の形状でなくてもよい。
【００５７】
すなわち、隣接する複数の小反射面８１ａによって囲まれた領域が、この小反射面８１ａとは形状が異なる別の小反射面８１ｂとして形成され、これら別の小反射面８１ｂも、少なくとも一部が発光点２２ｃを焦点とする仮想の回転放物面Ｓに接するように形成され、これら別の小反射面８１ｂ同士も、面Ｋに投影して得られた別の投影小反射面８１Ｂ同士が互いに略同じ形状で、かつ別の投影小反射面８１Ｂ間の間隔Ｐ′が等間隔となるように形成されているものであればよい。
【００５８】
例えば、図１２に示すように、凹反射面８１を面Ｋに投影したとき、第１の小反射面８１ａに対応する第１の投影小反射面８１Ａはそれぞれ八角形であり、これら第１の投影小反射面８１Ａは縦横にそれぞれ等間隔Ｐで配列され、４つの第１の投影小反射面８１Ａで囲まれた領域は正方形であり、これらの正方形の領域は互いに同一形状であり、しかも等間隔Ｐ′で配列されているため、これらの正方形の領域も投影小反射面（第２の投影小反射面８１Ｂ）ということができる。
【００５９】
この場合、凹反射面８１を形成する小反射面８１ａ，８１ｂにそれぞれ対応した投影小反射面８１Ａ，８１Ｂは、形状が互いに異なる２種類のものとなるが、これら２種類の投影小反射面８１Ａ，８１Ｂは、２種類の投影小反射面８１Ａ，８１Ｂを組み合わせた「セット体の投影小反射面」として捉えることで、そのセット体の投影小反射面が複数、等間隔で繰り返すように配列されているものとなるため、本発明に係る発光装置の一例である。
【００６０】
同様に、図１３に示すものは、面Ｋに投影した形状が円形で、かつ等間隔Ｐで配列された第１の投影小反射面８１Ａを投影する第１の小反射面８１ａと、３つの第１の投影小反射面８１Ａで囲まれた三角形状（三角形の各辺を内側に凹ませたような形状）で、かつ等間隔Ｐ′で配列された第２の投影小反射面８１Ｂを投影する第２の小反射面８１ｂとによって、凹反射面８１が形成されたものであり、この形態の凹反射面８１を有するＬＥＤ光源ユニットも、本発明に係る発光装置の一例である。
【００６１】
このように、面Ｋへ投影した形状が互いに異なる２種類の投影小反射面８１Ａ，８１Ｂをそれぞれ投影する小反射面８１ａ，８１ｂによって凹反射面８１を形成したものでは、小反射面の形状の選択の自由度を拡げることができる。
【００６２】
すなわち、面Ｋへ投影された投影小反射面８１Ａの形状を単一種類とした小反射面８１ａの組み合わせだけで凹反射面８１を形成しようとすると、小反射面８１ａの辺縁の全部が、他の小反射面８１ａの辺縁に接するような形状の小反射面８１ａしか選択できないが、２種類の小反射面８１ａ，８１ｂにより凹反射面８１を形成したものでは、そのような選択の制約が緩和され、より多くの形状の小反射面で凹反射面８１を形成することができる。
【００６３】
本発明の発光装置は、凹反射面８１の最外周の縁部まで含めた全ての小反射面８１ａの、面Ｋへの投影像である全ての投影小反射面８１Ａが完全に同一形状である必要はない。凹反射面８１の最外周の縁部は、２つ以上の凹反射面８１，８１同士が隣接するため、組立性を考慮した場合などは、この最外周の縁部における小反射面８１ａは、凹反射面８１，８１同士を滑らかに接続させることが重視されるからである。
【００６４】
なお、本実施形態における各小反射面８１ａは、ＬＥＤパッケージ２２に向けて突出した凸面で形成されているが、本発明における小反射面は、発光体に向けて陥凹した凹面であってもよいし、平面であってもよい。また、凸面、凹面および平面のうち２種類以上の面の組み合わせによる曲面であってもよい。
【００６５】
また、反射型の発光装置である本実施形態のＬＥＤ光源ユニット１００は、砲弾型ＬＥＤパッケージのような狭指向性ではなく広配光ＬＥＤパッケージを使用していること、および、凹反射面８１とＬＥＤパッケージ２２との間の距離を大きく設定していることにより、１つのＬＥＤパッケージ２２の発光が広がる範囲が大きくなるため、ＬＥＤパッケージ２２の数量を大幅に低減することができ、コストを低減することができる。
【００６６】
例えば、従来の、非反射型の交通信号灯のＬＥＤ光源ユニットは、百数十個から四百数十個のＬＥＤパッケージを用いているが、本実施形態のＬＥＤ光源ユニット１００は、わずか３６個のＬＥＤパッケージ２２によって、従来の非反射型のＬＥＤ光源ユニットと同程度またはそれ以上の視認性を得ることができる。
【００６７】
しかも、点光源であるＬＥＤパッケージ２２の光をリフレクタ８０の凹反射面８１の全体に拡げて出射させるため、単位面積当たりの光量を低減することができ、まぶしさ（グレア）を軽減させることができるため、車両の運転者が直視するものである交通信号灯２００のＬＥＤ光源ユニット１００として好適なものとなる。
【００６８】
なお、本実施形態のＬＥＤ光源ユニット１００は、保護カバー１０に太陽光などの強い光が照射されていても、光Ｌの少なくとも一部を視認可能とするために、保護カバー１０の外面１０ａは緩やかな曲面形状に形成されているが、本発明に係る発光装置におけるカバーは、この実施形態のものに限定されるものではなく、外面を平面としたものであってもよく、カバーの内面も平面であってもよい。
【００６９】
また、本実施形態のＬＥＤ光源ユニット１００は、保護カバー１０に電気回路２０が接着されているが、電気回路２０の各トランジスタ２５やＬＥＤパッケージ２２による伝熱からの伝熱により、保護カバー１０は非常に高温となる。
【００７０】
したがって、この熱によって、保護カバー１０に付着した雪や氷を溶かすことができ、付着した雪や氷によって光Ｌが遮られるのを防止することができる。
【００７１】
なお、本実施形態のＬＥＤ光源ユニット１００において、図１４に示すように、保護カバー１０とリフレクタ８０との間に、光Ｌを透過する透光性を有する断熱カバー７０を備えたものとしてもよい。
【００７２】
このようなものでは、電気回路２０に接して温められた空気が対流する空間を、断熱カバー７０によって狭く仕切ることができ、その対流による空気の熱を保護カバー１０に効率良く伝達させ、保護カバー１０の外面１０ａに付着した雪や氷を溶かす性能を向上させることができる。
【００７３】
したがって、断熱カバー７０を有するＬＥＤ光源ユニット１００は、保護カバー１０の外面１０ａに雪や氷が付着することによる光Ｌの視認性の低下を防止乃至抑制する効果が一層高く、特に寒冷地等での使用に好適である。
【００７４】
上述した実施形態は、本発明に係る発光装置を交通信号灯２００のＬＥＤ光源ユニット１００に適用した例であるが、本発明に係る発光装置は、この実施形態に限定されるものではなく、街路灯や照明器具、電光看板等に適用することができる。
【符号の説明】
【００７５】
１０      保護カバー（カバー）
２２      ＬＥＤパッケージ（発光体）
２２ｃ    発光点
８０      リフレクタ（反射部材）
８１      凹反射面
８１ａ，８１ｂ  小反射面
８１Ａ，８１Ｂ  投影小反射面
１００    光源ユニット（発光装置）
Ｃ        光軸（回転軸）
Ｋ        回転放物面の回転軸に直交する面
Ｌ        光，出射光，反射光
Ｌ１      平行光
Ｌ２      周辺光
Ｍ        放物線
Ｐ，Ｐ′  間隔
Ｓ        回転放物面
【図１】
2014157486.tif 000003
【図２】
2014157486.tif 000004
【図３】
2014157486.tif 000005
【図４】
2014157486.tif 000006
【図５】
2014157486.tif 000007
【図６】
2014157486.tif 000008
【図７】
2014157486.tif 000009
【図８】
2014157486.tif 000010
【図９】
2014157486.tif 000011
【図１０】
2014157486.tif 000012
【図１１】
2014157486.tif 000013
【図１２】
2014157486.tif 000014
【図１３】
2014157486.tif 000015
【図１４】
2014157486.tif 000016